(57)【要約】【課題】建物への付設物支持用基礎を、既設の建物にでも強固に固定できるようにする。【解決手段】下側に接地部２を設けた付設物支持用基礎本体３に、取付下地４への固定部５を設けると共に、接地部２の上側に手摺フレームの支柱下部に対する嵌入空間Ｓを形成する縦筒部６を設け、縦筒部６の外周に、横外方に突出する鍔部７を全周に亘って設け、嵌入空間Ｓに嵌入させる支柱下部の抜け止め手段８を縦筒部６に設け、縦筒部６に不透水性の底部９を設けてある。【選択図】図４
2018066158.tif 000002
【特許請求の範囲】
【請求項１】
下側に接地部を設けた付設物支持用基礎本体に、取付下地への固定部を設けると共に、
前記接地部の上側に付設物の支柱下部に対する嵌入空間を形成する縦筒部を設け、
前記縦筒部の外周に、横外方に突出する鍔部を全周に亘って設け、
前記嵌入空間に嵌入させる前記支柱下部の抜け止め手段を前記縦筒部に設け、
前記縦筒部に不透水性の底部を設けてある建物への付設物支持用基礎。
【請求項２】
前記縦筒部は、前記底部を一体化したプレス成型品で形成してある請求項１に記載の建物への付設物支持用基礎。
【請求項３】
前記接地部を、前記縦筒部の下端部外周に横外方に延出するフランジ部に形成し、そのフランジ部に取付下地に対するアンカーボルトの挿通孔を設けて前記固定部に形成してある請求項１または２に記載の建物への付設物支持用基礎。
【請求項４】
前記底部に取付下地に対するアンカーボルトの挿通孔を設けて前記固定部に形成し、
前記挿通孔にアンカーボルトを挿通させた時に前記挿通孔の周部と前記アンカーボルトとの間の水密性を確保可能なシール材を設けてある請求項１または２に記載の建物への付設物支持用基礎。
【請求項５】
前記付設物支持用基礎本体を、前記接地部を設ける下側基礎部材と、
前記縦筒部を設ける上側基礎部材とに分割構成し、
前記下側基礎部材の上部と前記上側基礎部材の下部とに相互に連結自在な連結部を設け、
取付下地に対するアンカーボルトの挿通孔を前記接地部に形成して前記固定部に形成し、
前記接地部を上から覆う天蓋を前記底部によって形成してある請求項１に記載の建物への付設物支持用基礎。
【請求項６】
前記縦筒部における前記鍔部よりも下部は、不透水性に形成してある請求項１〜５のいずれか１項に記載の建物への付設物支持用基礎。
【請求項７】
前記鍔部は、外側ほど低くなる傾斜面に形成してある請求項１〜６のいずれか１項に記載の建物への付設物支持用基礎。
【請求項８】
前記鍔部は、前記縦筒部の外側に防水層を敷設した場合に、その防水層上端縁部を上から覆う庇を形成するものである請求項１〜７のいずれか１項に記載の建物への付設物支持用基礎。
【請求項９】
前記鍔部に、前記付設物の下辺枠部と取付下地との間に配設可能な障害枠の取付け部を設けてある請求項１〜８のいずれか１項に記載の建物への付設物支持用基礎。
【請求項１０】
請求項１〜９のいずれか１項に記載の建物への付設物支持用基礎を、取付下地に固定した状態で、前記接地部の外側の取付下地から前記縦筒部の外側にかけて防水層を形成してあると共に、
前記縦筒部の嵌入空間には、前記付設物の支柱下部と前記縦筒部の内面との間に、硬化性材料を充填してある建物への付設物支持用基礎設置構造。
【発明の詳細な説明】
【技術分野】
【０００１】
本発明は、建物への付設物支持用基礎およびその設置構造に関する。
【背景技術】
【０００２】
従来、建物への付設物の一例としての手摺フレームは、一般的に、その支柱下部を下地コンクリートに埋設したものや、手摺フレームの支柱下部と、下地コンクリートへ予め一部を埋設した鉄筋の双方を、現場打設のコンクリート中に埋め込んで手摺フレームの支持用コンクリート基礎を形成する施工が行われている（例えば、非特許文献１参照）。
【先行技術文献】
【非特許文献】
【０００３】
【非特許文献１】国交省「建築工事標準詳細図」平成２２年版
【発明の概要】
【発明が解決しようとする課題】
【０００４】
いずれの施工技術も、施工が煩雑で、特に既設の建物へ、付設物の一例としての手摺フレームを設けるのは多数の工程と時間を必要として、実際は施工困難であった。
そこで、手摺フレームを、例えば既設の建物の屋上やベランダなどに設置する場合に、コンクリートブロックに手摺フレームの支柱下部に対する嵌入空間を形成した建物への付設物支持用基礎があり、その建物への付設物支持用基礎は、嵌入空間に手摺フレームの支柱下部を嵌入した後には、前記支柱下部と前記縦筒部の内面との間に、セメントモルタルを充填した状態で、前記屋上やベランダなどに載置することが行われている（周知技術であるが、適切な文献が見当たらない）。
上述した従来の建物への付設物支持用基礎では、コンクリートブロックの重みで手摺フレームが立設姿勢で保持されてはいるものの、設置方法としては、そのコンクリートブロックを屋上やベランダなどに載置するだけであるので、地震で移動したり、強風などにより転倒したり、多数の人に押されたりした場合に、転倒してしまう危険性があった。
【０００５】
従って、本発明の目的は、上記問題点を解消し、建物への付設物支持用基礎を、既設の建物にでも強固に固定できるようにするところにある。
【課題を解決するための手段】
【０００６】
本発明の第１の建物への付設物支持用基礎の特徴構成は、下側に接地部を設けた付設物支持用基礎本体に、取付下地への固定部を設けると共に、前記接地部の上側に付設物の支柱下部に対する嵌入空間を形成する縦筒部を設け、前記縦筒部の外周に、横外方に突出する鍔部を全周に亘って設け、前記嵌入空間に嵌入させる前記支柱下部の抜け止め手段を前記縦筒部に設け、前記縦筒部に不透水性の底部を設けたところにある。
【０００７】
本発明の第１の特徴構成によれば、接地部によって取付下地に接地した付設物支持用基礎本体に、取付下地への固定部を設けることによって、付設物支持用基礎本体は取付下地に安定して固定され、しかも、付設物の支柱下部を嵌入可能な縦筒部には、その外周に鍔部を全周に設けることによって、縦筒部を薄肉な材料で形成しても大きな強度が得られ、そのために、従来の重いコンクリートブロックに比べて建物への付設物支持用基礎を軽量にでき、付設物の設置が楽に行えるようになる。
その上、縦筒部に嵌入させる支柱下部は、抜け止め手段によって、付設物を安定して基礎本体に組み付けられると共に、縦筒部に不透水性の底部を設けてあることにより、例えば、固定部によって付設物支持用基礎本体を取付下地に固定した後に、その基礎本体の外側に防水層を形成した場合には、雨水が縦筒部内に侵入しても不透水性の底部により縦筒部の下方への雨水の漏洩を防止して、建物の屋上やベランダ等の取付下地を、雨水の侵入から保護しやすくできる。
【０００８】
本発明の第２の特徴構成は、前記縦筒部は、前記底部を一体化したプレス成型品で形成したところにある。
【０００９】
本発明の第２の特徴構成によれば、前記縦筒部は、前記底部を一体化したプレス成型品で形成することにより、板金製の肉厚の薄いものでも、軽量で強度のある基礎本体を形成でき、しかも、縦筒部６の内側を容易に不透水にできる。
【００１０】
本発明の第３の特徴構成は、前記接地部を、前記縦筒部の下端部外周に横外方に延出するフランジ部に形成し、そのフランジ部に取付下地に対するアンカーボルトの挿通孔を設けて前記固定部に形成したところにある。
【００１１】
本発明の第３の特徴構成によれば、接地部を、前記縦筒部の下端部外周に横外方に延出するフランジ部に形成することにより、縦筒部に嵌入させる付設物の支柱から受ける横方向の転倒モーメントに対抗しやすくでき、その上、前記フランジ部に固定部を形成することにより、一層安定して付設物を支持できる。
【００１２】
本発明の第４の特徴構成は、前記底部に取付下地に対するアンカーボルトの挿通孔を設けて前記固定部に形成し、前記挿通孔にアンカーボルトを挿通させた時に前記挿通孔の周部と前記アンカーボルトとの間の水密性を確保可能なシール材を設けたところにある。
【００１３】
本発明の第４の特徴構成によれば、前記底部に挿通孔を設けて、その挿通孔にアンカーボルトを挿通させて取付下地への固定強度を上げられながら、シール材により挿通孔の周部とアンカーボルトとの間の水密性を確保可能であるために、縦筒部の底部の不透水性を維持して、付設物の支持用基礎本体の下方への雨水の漏洩を防止できる。
【００１４】
本発明の第５の特徴構成は、前記付設物支持用基礎本体を、前記接地部を設ける下側基礎部材と、前記縦筒部を設ける上側基礎部材とに分割構成し、前記下側基礎部材の上部と前記上側基礎部材の下部とに相互に連結自在な連結部を設け、取付下地に対するアンカーボルトの挿通孔を前記接地部に形成して前記固定部に形成し、前記接地部を上から覆う天蓋を前記底部によって形成したところにある。
【００１５】
本発明の第５の特徴構成によれば、下側基礎部材は、接地部を取付下地に接地させて、接地部に形成した挿通孔にアンカーボルト挿通させて固定され、連結部を介して下側基礎部材に上側基礎部材を連結することにより、上側基礎部材に設けた縦筒部の底部が天蓋となって、接地部を上から覆うために、接地部に形成される固定部を雨水から保護しやすくできながら、付設物の安定支持を可能にしやすくできる。
しかも、縦筒部の底部で覆われる接地部は、縦筒部の上部の鍔部よりも小幅のコンパクトに形成できるために、屋上のパラペットの近傍等の狭い場所にも容易に設置できる。
【００１６】
本発明の第６の特徴構成は、前記縦筒部における前記鍔部よりも下部は、不透水性に形成したところにある。
【００１７】
本発明の第６の特徴構成によれば、例えば、縦筒部の外側面で鍔部よりも下部に防水シート等を接着して防水層を形成した場合には、たとえ縦筒部の内側に雨水などが侵入しても、縦筒部の外周面と防水層との間に縦筒部の内側から水が侵入することはなく、そのために、取付下地への雨水の浸透を防止でき、しかも、縦筒部に対する防水層の接着性能が維持できる。つまり、コンクリートブロックで形成された従来技術の場合は、フロック内に充填されたセメントモルタルの収縮などにより生じたブロック内壁と充填物との間の肌離れ面から雨水が侵入し、基礎本体が凍害で一部欠落して強度を低下させたり、コケやカビが発生して衛生環境を低下させたりする欠点があるのに比べ、本発明の基礎本体は、凍害を防止して基礎本体を取付下地に固定できながら、取付下地に対する防水性能の低下を防止できる。
【００１８】
本発明の第７の特徴構成は、前記鍔部は、外側ほど低くなる傾斜面に形成したところにある。
【００１９】
本発明の第７の特徴構成によれば、前記鍔部は、外側ほど低くなる傾斜面に形成してあると、縦筒部の嵌入空間に硬化性材料を充填して、コテ等の成形具を使用して鍔部から支柱部分にかけて高くなる傾斜面に整形するときの案内ガイドにしやすくできる。
【００２０】
本発明の第８の特徴構成は、前記鍔部は、前記縦筒部の外側に防水層を敷設した場合に、その防水層上端縁部を上から覆う庇を形成するものである。
【００２１】
本発明の第８の特徴構成によれば、前記鍔部は、縦筒部の補強を行うのみならず、縦筒部の外側に防水層を敷設した場合に、その防水層上端縁部を上から覆う庇を形成するために、防水層末端部からの雨水の侵入を防止し、建物への付設物支持用基礎を取付下地に固定しても、固定箇所からの漏水防止を確実なものとできる。
【００２２】
本発明の第９の特徴構成は、前記鍔部に、前記付設物の下辺枠部と取付下地との間に配設可能な障害枠の取付け部を設けたところにある。
【００２３】
本発明の第９の特徴構成によれば、前記付設物の下辺枠部と取付下地との間の隙間を、万が一子供が潜り抜けてしまって危険な状態になることを防ぎ、より安全性を向上させやすくなる。
【００２４】
本発明の第１０の建物への付設物支持用基礎設置構造の特徴構成は、建物への付設物支持用基礎を、取付下地に固定した状態で、前記接地部の外側の取付下地から前記縦筒部の外側にかけて防水層を形成してあると共に、前記縦筒部の嵌入空間には、前記付設物の支柱下部と前記縦筒部の内面との間に、硬化性材料を充填してある。
【００２５】
本発明の第１０の特徴構成によれば、建物への付設物支持用基礎を取付下地に固定した状態で、固定箇所からの漏水防止を確実なものにできながら、支柱下部と前記縦筒部の内面との間に充填する硬化性材料により、付設物と支持基礎との強固な一体化を可能にでき、付設物に地震及び強風や多数の人による外力が作用しても、動かずに付設物による安全確保を、既設の建物にも容易に実現できる。
【図面の簡単な説明】
【００２６】
【図１】手摺フレームを取り付けた状態の全体斜視図である。
【図２】本発明の基礎の溶接組み立て前の分解斜視図である。
【図３】本発明の基礎の組み立て斜視図である。
【図４】本発明の基礎の設置状態の縦断面図である。
【図５】本発明の基礎に対する下からの斜視図である。
【図６】別実施形態の斜視図である。
【図７】別実施形態の縦断面図である。
【図８】（ａ）、（ｂ）、（ｃ）は、夫々別実施形態の縦断面図である。
【図９】別実施形態の縦断面図である。
【図１０】別実施形態の縦断面図である。
【図１１】別実施形態の上下分解縦断面図である。
【図１２】別実施形態の組み立て縦断面図である。
【図１３】四角筒状の縦筒部を備えた別実施形態の縦断面図である。
【図１４】図１３におけるＸＩＶ−ＸＩＶ線横断面図である。
【図１５】別実施形態の縦断面図である。
【図１６】別実施形態の斜視図である。
【発明を実施するための形態】
【００２７】
以下に本発明の実施の形態を図面に基づいて説明する。
図１〜図５に示すように、例えば、既設の建物における屋上やベランダ等に、安全のための手摺部分１Ａと支柱部分１Ｂとから成る建物への設置物の一例としての手摺フレーム１を設置可能にするために、下側に接地部２を設けた手摺フレーム支持用基礎本体３に、取付下地４への固定部５を設けると共に、接地部２の上側に手摺フレーム１の支柱下部に対する嵌入空間Ｓを形成する円筒形の縦筒部６を設け、縦筒部６の上部外周に、横外方に突出する鍔部７を全周に亘って設け、嵌入空間Ｓに嵌入させる支柱下部の抜け止め手段８を縦筒部６に設け、その縦筒部６に不透水性の底部９を設けてある手摺フレーム１の支持用基礎を構成してある。
【００２８】
前記手摺フレーム支持用基礎本体３は、板金や鋳造製の金属や樹脂で形成してあり、接地部２は、縦筒部６の下端部外周に横外方に延出するフランジ部１０に形成し、そのフランジ部１０に取付下地４に対するアンカーボルト２０の挿通孔１１を設けて固定部５に形成してある。
前記手摺フレーム支持用基礎本体３は、図２〜図５では、底部９を一体形成した縦筒部６を円筒状プレス成型品で形成してあり、その円筒状プレス成型品にフランジ部１０を形成するためのリング状プレス成型品を、縦筒部６の下端部に外嵌させて外観良好にすべく下側から肉盛溶接３１により一体化してある。前記円筒状プレス成型品において、縦筒部６と底部９との連接する部分は、縦断面で半径（Ｒ１）の曲面を形成してあることで、縦筒部６の内部に充填する充填物が膨張したり、横方向の外力が作用しても耐力が大きく、そのために、薄肉の成型品で軽量化を図れ、しかも切削加工品に比べて加工手間も少なくて済む。
尚、前記縦筒部６とフランジ部１０とを一体化するのに、肉盛溶接３１に代えて、溶着、接着、ろう付け等により一体化してあっても良い。
前記支柱下部の抜け止め手段８は、縦筒部６の内周部にリング形状物を溶接して縦筒部６の内周面より内側に突出する部分を形成し、手摺フレーム１の支柱下部を縦筒部６の嵌入空間Ｓに嵌入した後に、下端部に拡大部を備えた支柱下部と縦筒部６の内面との間に、モルタル等の硬化性材料１２を充填することにより、支柱下部と硬化性材料１２の硬化物がリング形状の抜け止め手段８に物理的に係止して、手摺フレーム１の支柱部分１Ｂが抜けずに縦筒部６と一体化できるように構成してある。
尚、硬化性材料１２は、水を混入した流動性のあるモルタル以外に、粉粒体状の材料で、支柱下部と縦筒部６の内面との間に充填した後に、注水することで硬化する材料（例えば、含水していない砂とセメントとの混合物等）や、液状の硬化剤を注入することで硬化反応をするもの（例えば、１液性又は２液性の樹脂材料等）であっても良い。
【００２９】
前記鍔部７は、縦筒部６の補強になるばかりか、縦筒部６における鍔部７よりも下部は不透水性に形成してあると共に、縦筒部６の外側面に防水シート１３を接着して防水層を形成した場合に、たとえ縦筒部６の内側に雨水などが侵入しても、縦筒部６の外周面と防水層との間に縦筒部６の内側から水が侵入することはなく、そのために、取付下地への雨水の浸透を防いで室内への漏水を防止でき、しかも、縦筒部６に対する防水シート１３の接着性能が維持できる。
また、防水シート１３を敷設した場合に、その防水シート１３上端縁部を上から覆う庇を形成するように縦筒部６の横外方の全周に亘って延設してあり、更にその端縁部を下方に曲折してある。
従って、手摺フレーム支持用基礎本体３を取付下地４に固定した後には、図４に示すように、防水シート１３を接地部２の外側の取付下地４から縦筒部６の外側にかけて防水シート１３を敷設して防水層を形成し、防水シート１３上端縁部は鍔部７によりその上方が覆われて、雨水の侵入が防止され、その上で、防水シート１３上端部を押え金物１４で全周部を固定すると共に、不定形シール材１５でコーキングすることにより、手摺フレーム１の支持用基礎を設置しても屋上やベランダなどの取付下地４に雨水の侵入を防止できるように構成してある。
尚、防水層を形成するのに、防水シート１３を縦筒部６の外側面に接着させて付設するもの以外に、アスファルト系防水層や合成樹脂塗膜系防水層を形成するものでもよい。
【００３０】
〔別実施形態〕
以下に他の実施の形態を説明する。
なお、以下の他の実施形態において、上記実施形態と同様の部材には同一の符号を附してある。
〈１〉  縦筒部６は、円筒形に限らず、図６、図７に示すように、角筒形状の物でもよく、その断面形状は、四角形以外に、四角以上の多角形状に形成してあっても良い。
〈２〉  手摺フレーム支持用基礎本体３を、全て一体品で構成する以外に、図１１〜図１２に示すように、接地部２を設ける下側基礎部材１６と、縦筒部６を設ける上側基礎部材１７とに分割構成し、下側基礎部材１６の上部に上側基礎部材１７の下部が外嵌可能な構造にして、その嵌合部に相互に、例えばビスまたはボルト１９による連結自在な連結部１８を設け、取付下地４に対するアンカーボルト２０の挿通孔１１を、下側基礎部材１６の底部９に形成する接地部２に設けて、固定部５を形成し、接地部２を上から覆う天蓋を縦筒部６を設けた上側基礎部材１７の底部９によって形成してあるものでもよい。この場合、縦筒部の底部で覆われる接地部は、縦筒部の上部の鍔部よりも小幅のコンパクトに形成できる（図１１、図１２では、縦筒部６は、上下に亘って横幅が同じ筒形状）ために、図１２に示すように、屋上のパラペット３０の近傍等の狭い場所にも容易に設置できる。しかも、天蓋で覆われた固定部５は、上からの雨水の侵入を防止できるために、皿ビス以外に通常の頭のボルトや、寸切りボルトにナットを螺合させる等、アンカーボルト２０の選択肢が広げられる利点がある。尚、上側基礎部材１７と下側基礎部材１６の連結部１８を、ビス又はボルト１９による連結構造以外に、下側基礎部材１６の上部と上側基礎部材１７の下部の連結部１８を、夫々例えば円筒形の夫々嵌合可能な縦筒形状に形成する場合、それらを互いに螺合可能なネジ部に形成して、水密構造に形成してあっても良い。また、前記縦筒部６は、角筒形状の他に、円筒形であってもよい。
〈３〉  手摺フレーム支持用基礎本体３を接地部２を設ける下側基礎部材１６と、縦筒部６を設ける上側基礎部材１７とに分割構成する場合に、図１５に示すように、鍔部７の外径よりも接地部２の外径を大に形成すると、接地面積を大きくできて、手摺フレーム１の支柱に対する支持強度を上げることができる。
〈４〉  前記抜け止め手段８は、図８（ａ）〜（ｃ）に示すような構造でもよい。つまり、縦筒部６の内側にモルタル等の硬化性流動物を充填するために、その内面形状を凹凸に形成して支柱下部が抜け出すのを防止したもので(図８（ａ）、（ｂ）)、図８（ｃ）は、縦筒部６の上方部ほど小径の錐体に形成してある。
〈５〉  図９に示すように、前記底部９に取付下地４に対するアンカーボルト２０の挿通孔１１を設けて固定部５に形成し、挿通孔１１にアンカーボルト２０を挿通させた時に挿通孔１１の周部とアンカーボルト２０との間の水密性を確保可能なシール材２１を設けてあっても良い。尚、シール材２１は、天然ゴムやシリコンゴム等の弾性のあるリング状に成形された定形シール材以外に、コーキング材や、液状体や粘性体で空気等に触れることで硬化又は固化して水密性を発揮する不定形シール材であっても良い。
〈６〉  図１０に示すように、手摺フレーム１の支柱部分１Ｂをより安定支持させるために、縦筒部６に鍔部７よりも上方に延設する延設筒部分を連設して、一層深い嵌入空間Ｓを形成しても良い。この場合、上方への延設筒部分も不透水性にしても良いが（言い換えれば、鍔部７は、縦筒部６の上端部に限らず、上下中間部にあっても良い）、延設筒部分の下部には、図１０に示すように、排水口２２を設けて、延設筒部分の上端部から侵入した雨水を、縦筒部６の外方に排水できるように構成しても良い。
〈７〉  図１３及び図１４に示すように、縦筒部６を四角筒形状のプレス成型品にする場合、縦筒部６と底部９との連接する部分は、縦断面で半径（Ｒ１）の曲面を形成するだけでなく、平面視で、４箇所のコーナー部も半径（Ｒ２）の曲面に形成することで、直角のコーナーに形成するのに比べて、縦筒部６の内部に充填する充填物が凍害などで膨張したり、横方向の外力が作用しても耐力が大きく、そのために、薄肉の成型品で軽量化を図れる。
〈８〉  前記鍔部７は、図１３、図１５に示すように、外側ほど低くなる傾斜面に形成してあると、縦筒部６の嵌入空間Ｓに、モルタル等の硬化性材料１２を充填して、コテ等の整形具を使用して鍔部７から支柱部分１Ｂにかけて高くなる傾斜面に整形するときの案内ガイドにできる。
〈９〉  前記鍔部７に、図１６に示すように、前記手摺フレーム１の下辺枠部と取付下地４との間に配設するアングル材などの横バー状障害枠３２の取付け部３３を設けて、手摺フレーム１の下辺枠部と取付下地4との間に形成される隙間を、子どもが潜り抜けるのを防止できるように構成してあってもよい。尚、取付け部３３には、障害枠３２をボルトを介して取り付け可能なボルト挿通孔を設けて、前記取付け部３３を構成してある。また、横バー状障害枠３２は、一定間隔置きに配設する複数の付設物支持用基礎どうしに亘って取り付けられるものであるが、必ずしも、隣接する基礎どうしに亘って取り付けなくとも、障害物を配設できれば、夫々の基礎に各別に独立して取り付けてあっても良い。
〈１０〉前記手摺フレーム１に代えて、フェンスやルーバー等の壁体を形成するものや、看板、旗の支柱、風向計の支柱、風量計の支柱等（建物への付設物と総称する）を、本発明の基礎に取り付けても良い。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３１】
１      手摺フレーム（付設物）
２      接地部
３      基礎本体
４      取付下地
５      固定部
６      縦筒部
７      鍔部
８      抜け止め手段
９      底部
１０    フランジ部
１１    挿通孔
１２    硬化性材料
１３    防水シート
１６    下側基礎部材
１７    上側基礎部材
１８    連結部
２０    アンカーボルト
２１    シール材
Ｓ      嵌入空間
【図１】
2018066158.tif 000003
【図２】
2018066158.tif 000004
【図３】
2018066158.tif 000005
【図４】
2018066158.tif 000006
【図５】
2018066158.tif 000007
【図６】
2018066158.tif 000008
【図７】
2018066158.tif 000009
【図８】
2018066158.tif 000010
【図９】
2018066158.tif 000011
【図１０】
2018066158.tif 000012
【図１１】
2018066158.tif 000013
【図１２】
2018066158.tif 000014
【図１３】
2018066158.tif 000015
【図１４】
2018066158.tif 000016
【図１５】
2018066158.tif 000017
【図１６】
2018066158.tif 000018